(57)【要約】【課題】所謂ケースキャップ一体型のコンタクトレンズケースにおいて、コンタクトレンズ出し入れ時の各レンズ収容部の識別性能を確保する。【解決手段】コンタクトレンズケースは、２つのレンズ収納用凹部１４を有するケース本体１とこのケース本体１にそれぞれ連結されるケースキャップ２とを含む。各ケースキャップ２の裏面２ｂには、両レンズ収納用凹部１４を開いた状態で各レンズ収納用凹部１４を識別可能とする立体文字４ａ，４ｂ（識別手段）が設けられている。【選択図】図３
0003153806.tif 000002
【実用新案登録請求の範囲】
【請求項１】
コンタクトレンズが収容される収納用凹部をそれぞれ有する一対のレンズ収納部をもつケース本体と、このケース本体にそれぞれ連結され、かつ当該連結部分を支点として前記収納用凹部を塞ぐ位置とこの位置から前記ケース本体の外側に展開して前記収納用凹部を開く位置とにそれぞれ変位可能な一対のケースキャップとを含むレンズケースであって、
前記ケース本体又はケースキャップの少なくとも一方側に、前記収納用凹部を開いた状態で各レンズ収納部の識別を可能とする識別手段が設けられていることを特徴とするコンタクトレンズケース。
【請求項２】
請求項１に記載のコンタクトレンズケースにおいて、
前記一対のケースキャップは、前記レンズ収納部の並び方向における両レンズ収納部の外側の位置でそれぞれ前記ケース本体に連結され、互いに前記並び方向外側に展開して前記収納用凹部を開くことを特徴とするコンタクトレンズケース。
【請求項３】
請求項１又は２に記載のコンタクトレンズケースにおいて、
前記識別手段は、前記両ケースキャップのうち少なくとも一方側の裏面に設けられていることを特徴とするコンタクトレンズケース。
【請求項４】
請求項１又は２に記載のコンタクトレンズケースにおいて、
前記識別手段は、前記ケース本体の各収納用凹部のうち少なくとも一方側に設けられていることを特徴とするコンタクトレンズケース。
【請求項５】
請求項１乃至４の何れか一項に記載のコンタクトレンズケースにおいて、
前記識別手段は、前記ケース本体又はケースキャップに付される色彩、文字及び立体的形状のうち少なくとも一つからなることを特徴とするコンタクトレンズケース。
【請求項６】
請求項５に記載のコンタクトレンズケースにおいて、
前記識別手段は、前記立体的形状からなり、この立体的形状は、前記各ケースキャップに施された互いに異なる輪郭であることを特徴とするコンタクトレンズケース。
【考案の詳細な説明】
【技術分野】
【０００１】
本考案は、コンタクトレンズを収容、保管するためのコンタクトレンズケースに関するものである。
【背景技術】
【０００２】
従来から、コンタクトレンズ（以下、レンズと略す）を洗浄した後、レンズをレンズケア剤に浸漬した状態でコンタクトレンズケース（以下、レンズケースと略す）に保管することが行われている。
【０００３】
レンズケースは、左右のレンズを個別に収納するための２つのレンズ収納部をもつケース本体と、レンズ収納部をそれぞれ塞ぐための前記ケース本体とは別体のケースキャップとを備えたものが一般的である。そして、各ケースキャップの表面には左右のキャップを識別するための文字等が記されており、レンズ出し入れ時には、キャップ表面を上向きにしてケース本体近傍にケースキャップを置くことで、左右のレンズ収容部を区別するようになっている。
【考案の概要】
【考案が解決しようとする課題】
【０００４】
ケース本体と各ケースキャップとが別体の上記従来のレンズケースでは、レンズ出し入れ時や洗浄時にケースキャップを落として汚したり紛失する等の不都合がある。そこで最近では、ヒンジを介してケース本体に各ケースキャップを一体に連結したものが考えられている（例えば特表２００７−５０８８８１号公報）。
【０００５】
ところが、ケースキャップ一体型のこの種のレンズケースでは、レンズ収納部を開くとケースキャップが裏向きとなるため、従来のようにキャップ表面に文字等を設ける方法では、レンズ出し入れ時に左右のレンズ収容部を区別することが困難となり、左右のレンズを取り違えるといった不都合を招くことが考えられる。
【０００６】
本考案はこのような事情に鑑みて成されたものであり、所謂ケースキャップ一体型のレンズケースにおいて、レンズ出し入れ時の各レンズ収容部の識別性能を確保することを目的とする。
【課題を解決するための手段】
【０００７】
上記課題を解決するための本考案は、コンタクトレンズが収容される収納用凹部をそれぞれ有する一対のレンズ収納部をもつケース本体と、このケース本体にそれぞれ連結され、かつ当該連結部分を支点として前記収納用凹部を塞ぐ位置とこの位置から前記ケース本体の外側に展開して前記収納用凹部を開く位置とにそれぞれ変位可能な一対のケースキャップとを含むレンズケースであって、前記ケース本体又はケースキャップの少なくとも一方側に、前記収納用凹部を開いた状態で各レンズ収納部の識別を可能とする識別手段が設けられているものである。
【０００８】
このコンタクトレンズケースによれば、両ケースキャップを展開させて各収納用凹部を開いた状態でも難なく各レンズ収納部を識別することが可能となる。
【０００９】
なお、上記のような構成は、各収納用凹部の並び方向における中間位置を境にしてコンタクトレンズケース全体が対称形状を有し、外観のみでは各収納用凹部を識別し難い場合に特に有用となる。具体的には、前記一対のケースキャップが、前記レンズ収納部の並び方向における両レンズ収納部の外側の位置でそれぞれ前記ケース本体に連結され、互いに前記並び方向外側に展開して前記収納用凹部を開くような構成のコンタクトレンズケースに有用である。
【００１０】
上記のようなコンタクトレンズの構成では、ケースキャップを展開して収納用凹部を開くとケースキャップが裏向きとなる。そのため、前記識別手段は、前記両ケースキャップのうち少なくとも一方側の裏面に設けられているのが好適である。
【００１１】
この構成によれば、各収納用凹部を開いた状態でも対応するケースキャップの裏面を確認するだけで難なく当該レンズ収納部を識別することが可能となる。
【００１２】
また、前記識別手段は、前記ケース本体の各収納用凹部のうち少なくとも一方側に設けられているものであってもよい。
【００１３】
この構成によれば、収納用凹部の内面を確認すればそのレンズ収納部を直接識別することが可能となる。
【００１４】
なお、前記識別手段としては、種々の構成が考えられるが、例えば、前記ケース本体又はケースキャップに付される色彩、文字及び立体的形状のうち少なくとも一つからなるものであるのが好適である。また、特に識別手段が立体的形状からなる場合、この立体的形状は、前記各ケースキャップに施された互いに異なる輪郭であってもよい。
【００１５】
この構成によれば、比較的簡単な構成でもって各レンズ収納部を正確に識別することが可能となる。なお、請求項の記載において「ケース本体又はケースキャップに付される色彩」とは、ケースキャップ等の母材表面に印刷（色彩）が施されることによってケースキャップ等に色彩が付される場合の他、当該色彩を有する材料を用いてケースキャップ等が成形されていることによりケースキャップ等に色彩が付される場合の双方を含む趣旨である。
【考案の効果】
【００１６】
本考案のコンタクトレンズケースによれば、両ケースキャップを展開して各収納用凹部を開いた状態でも難なく各レンズ収納部を識別することができ、所謂ケースキャップ一体型のコンタクトレンズケースにおいて、コンタクトレンズ出し入れ時の各レンズ収容部の識別性能を適切に確保することができる。
【図面の簡単な説明】
【００１７】
【図１】本考案のコンタクトレンズケースを示す平面図（収納用凹部を閉じた状態）である。
【図２】コンタクトレンズケースを示す断面図（収納用凹部を閉じた状態）である。
【図３】コンタクトレンズケースを示す平面図（収納用凹部を開いた状態）である。
【図４】コンタクトレンズケースを示す断面図（収納用凹部を開いた状態）である。
【考案を実施するための形態】
【００１８】
以下、添付図面を参照しながら本考案の好ましい実施の一形態について詳述する。
【００１９】
図１〜図４は、本考案にかかるコンタクトレンズケースを示す。このコンタクトレンズケース（以下、レンズケースと略す）は、図外のコンタクトレンズ（以下、レンズと略す）をレンズケア剤と共に収容、保管するためのものである。なお、レンズケア剤とは、レンズを洗浄、消毒等するための液剤である。
【００２０】
レンズケースは、左右対称（図１〜図４において左右対称）に形成されており、ケース本体１とケースキャップ２とを備えている。ケース本体１とケースキャップ２とは後記ヒンジ２６を介して互いに連結されており、この例では、レンズケース全体、つまりケース本体１、ケースキャップ２およびヒンジ２６がＰＰ等の樹脂材料により一体に形成されている。
【００２１】
ケース本体１は、レンズを収納するための左右横並びに並ぶ２つのレンズ収納部１２とこれらを繋ぐ基台部１０とを有する。各レンズ収納部１２は、それぞれ同じ向きに開口するレンズ収納用凹部１４を備えた有底筒状の形状を有している。各レンズ収納用凹部１４はそれぞれ、略球面状の内底面を有しており、一枚のレンズをこれが浸漬され得る程度のレンズケア剤と共に収容できるように形成されている。
【００２２】
各ケースキャップ２は、前記ケース本体１のうち前記レンズ収納部１２の並び方向（図１〜図４では左右方向）における両レンズ収納部１２の外側の位置にそれぞれヒンジ２６を介して連結されている。これらのケースキャップ２は、当該連結部分を支点として前記レンズ収納用凹部１４を塞ぐ閉止位置（図１，図２に示す位置）とこの位置から互いに前記並び方向外側に向かって展開してレンズ収納用凹部１４を開く開放位置（図３，図４に示す位置）とに変位可能に構成されている。つまり、各ケースキャップ２は、各レンズ収納部１２の並び方向と直交する仮想軸回りに回動可能な状態で前記ケース本体１に連結されており、観音開き状に各レンズ収納用凹部１４を開閉する。
【００２３】
各ケースキャップ２は、扁平な有底筒型の形状を有しており、それぞれレンズ収納部１２に嵌合することによって前記レンズ収納用凹部１４を塞ぐようになっている。詳しくは、各ケースキャップ２には、それぞれレンズ収納用凹部１４の開口縁部に対応した内外一対の環状凸部２０，２２（内側環状凸部２０、外側環状凸部２２）が形成されており、前記閉止位置では、内側環状凸部２０がレンズ収納用凹部１４の内周面に嵌合してレンズ収納用凹部１４を塞ぐとともに当該嵌合により各ケースキャップ２がレンズ収納部１２に固定され、さらにレンズ収納部１２（開口縁部）の外周面上に外側環状凸部２２が位置するように構成されている。なお、図示を省略するが、外側環状凸部２２の内周面およびレンズ収納部１２の外周面のうち一方側の周面には係止凸部が、他方側の周面には係止溝がそれぞれ形成されており、ケースキャップ２を閉じる際には、前記係止凸部が係止溝に嵌合して強いクリック感を得ることができ、また、これら係止凸部と係止溝とが互いに係合することによりキャップ閉止状態が確実に保持されるようになっている。
【００２４】
各ケースキャップ２は、その先端部分（ヒンジ２６とは反対側の部分）に鍔部２４を一体に備えている。これによりレンズ収納部１２を開く際には、この鍔部２４に指先を掛けてケースキャップ２を引くことでレンズ収納部１２に嵌合した各ケースキャップ２を難なく取り外せるようになっている。
【００２５】
ここで、左右（図１〜図４で左右；以下同じ）のケースキャップ２には、レンズ収納用凹部１４の開放状態で左右のレンズ収納部１２（レンズ収納用凹部１４）を識別可能とする第１識別標識と、レンズ収納用凹部１４を閉じた状態で左右のレンズ収納部１２を識別可能とする２識別標識とが設けられている。なお、当例では第１識別標識が本考案の識別手段に相当する。
【００２６】
これらの識別標識は、各ケースキャップ２に形成される立体的形状からなる。具体的には、図３に示すように、右側のレンズ収納部１２に対応するケースキャップ２の裏面２ｂに「Ｒｉｇｈｔ（右）」の頭文字「Ｒ」を示す立体文字４ａが、左側のレンズ収納部１２に対応するケースキャップ２の裏面２ｂに「Ｌｅｆｔ（左）」の頭文字「Ｌ」を示す立体文字４ｂがそれぞれ形成されている。これによりレンズ収納用凹部１４の開放状態で左右のレンズ収納部１２（レンズ収納用凹部１４）を識別できるようになっている。
【００２７】
また、図１に示すように、右側のケースキャップ２の表面２ａに「Ｒｉｇｈｔ（右）」の頭文字「Ｒ」を示す立体文字３ａが、左側のケースキャップ２の表面２ａに「Ｌｅｆｔ（左）」の頭文字「Ｌ」を示す立体文字３ｂがそれぞれ形成されており、これによって各レンズ収納用凹部１４を閉じた状態でも左右のレンズ収納部１２を識別できるようになっている。なお、便宜上、図中では各立体文字３ａ，３ｂ（立体文字４ａ，４ｂ）をハッチングで示しているが、各立体文字３ａ，３ｂ（立体文字４ａ，４ｂ）は、文字部分が凸又は凹となるようにケースキャップ２の表面２ａ（裏面２ｂ）に一体成形された立体文字からなる。
【００２８】
上記のようなレンズケースの使用方法は次の通りである。まず、レンズの保管時には、両ケースキャップ２を展開して各レンズ収納用凹部１４を開く。そして、各レンズ収納用凹部１４にレンズケア剤を満たし、洗浄後のレンズをこのレンズケア剤に浸漬させた状態でケースキャップ２を閉じてそのまま数時間以上放置する。これによりレンズの洗浄・消毒を行う。この場合、使用者は、各ケースキャップ２を展開してレンズ収納用凹部１４を開いた状態でレンズを収納するが、上記の通り、各ケースキャップ２の裏面２ｂには立体文字４ａ，４ｂが形成されているため、これを確認することで使用者は左右のレンズ収納部１２（レンズ収納用凹部１４）を難なく認識することができ、左右のレンズを適切に各レンズ収納用凹部１４に収容することができる。
【００２９】
そして、次回のレンズ装着時には、各ケースキャップ２の表面２ａに形成された上記立体文字４ａ，４ｂを確認しながら、左右何れか一方側のレンズ収納部１２から順にレンズを取出して装着することで、左右のレンズを取り違えることなく適切に装着することができる。
【００３０】
このように、上述したレンズケースによれば、各レンズ収納用凹部１４を閉じた状態はもとより、各レンズ収納用凹部１４を開いた状態でも左右のレンズ収納部１２（レンズ収納用凹部１４）を難なく識別することができる。従って、所謂ケースキャップ一体型のレンズケースにおいて、レンズ出し入れ時の各レンズ収納部１２（レンズ収納用凹部１４）の識別性能を良好に確保することができ、左右のレンズを取り違えて装着するといった不都合を未然に防止することができる。
【００３１】
ところで、以上説明したレンズケースは、本考案に係るコンタクトレンズケースの好ましい実施形態の一例であって、その具体的な構成は、本考案の要旨を逸脱しない範囲で適宜変更可能である。例えば、以下のような態様を適用することも可能である。
【００３２】
実施形態では識別標識としてケースキャップ２に立体文字３ａ，３ｂ，４ａ，４ｂが設けられているが、各識別標識は、例えばシルク印刷等の平面的な文字であってもよい。また、立体文字３ａ，３ｂ，４ａ，４ｂの表面に印刷（色彩）を施すことにより識別性を向上させたものでもよい。
【００３３】
また、各識別標識として文字以外のマークを設けるようにしてもよし、左右のケースキャップ２の色彩を変えるようにしてもよい。また、左右のケースキャップ２の輪郭を互いに異なる形状としてもよい。なお、色彩を変える場合には、左右のケースキャップ２の表面２ａや裏面２ｂ（例えば外側環状凸部２２の内側の領域等）にシルク印刷等を施すようにしてもよいし、二色成形により各ケースキャップ２自体を互いに異なる色（色彩）の材料で成形するようにしてもよい。
【００３４】
また、第１識別標識は、実施形態のようにケースキャップ２に設ける以外にケース本体１に設けるようにしてもよい。例えば基台部１０の各レンズ収納用凹部１４の周囲に左右のレンズ収納部１２を識別できるような色彩、文字及び立体的形状の少なくとも一つからなる識別標識を設けるようにしてもよい。また、二色成形により左右のレンズ収納部１２を互いに異なる色（色彩）で成形するようにしてもよい。
【００３５】
また、実施形態では、左右のケースキャップ２に識別標識（立体文字３ａ，３ｂ，４ａ，４ｂ）を設けているが、左右を識別できれば、ケースキャップ２のうち一方側にのみ識別標識を設けるようにしてもよい。この点は、上記のようにケース本体１に識別標識を設ける場合についても同じである。
【００３６】
また、実施形態では、第１、第２両方の識別標識を設けているが、レンズ出し入れ時には必ずレンズ収納用凹部１４を開放状態とするので、少なくとも第１識別標識（立体文字４ａ，４ｂ）を設けておけば使用に際して支障はなく、従って、第２識別標識（立体文字３ａ，３ｂ）については、これを省略してもよい。
【００３７】
また、本考案の適用例として、上記実施形態では、各ケースキャップ２とケース本体１とが一体成形されたレンズケースについて説明したが、各ケースキャップ２がケース本体１と別体のものであっても、次のようなレンズケースについては、本考案は有用となる。例えば、ケースキャップに可撓性を有する連結体を介してリング状固定部が一体成形され、このリング状固定部がレンズ収納部の外周面上に外嵌することによってケースキャップがケース本体に展開可能に連結させるタイプのレンズケースについては、ケース洗浄時等を除き、ケース本体にケースキャップを連結したまま使用されるのが一般的であるため、上記実施形態のレンズケースと同視できる。従って、このタイプのレンズケースについては上記実施形態のレンズケースと同様に第１識別標識を設けることが有用となる。
【図１】
0003153806.tif 000003
【図２】
0003153806.tif 000004
【図３】
0003153806.tif 000005
【図４】
0003153806.tif 000006